(57)【要約】      （修正有）【課題】プラスチックダンボール材を用いながら面剛性において方向的な弱点がなく、使用の自由度の高いボードの提供。【解決手段】同じ方向の中空孔１が隣接して形成された複数枚のプラスチックダンボール材２、２、３を、中空孔１の方向が交差する向きにて貼り合わせて、どの方向にも優れた面剛性を得る。ボードＢＯ表面を形成するプラスチックダンボール材２は、鋲止め、針止めできる掲示面７をなしており、掲示面７をなすプラスチックダンボール材２は、基材とするプラスチックダンボール材３の片面又は両面に貼り合わせてある。【選択図】図１
0003119735.tif 000002
【実用新案登録請求の範囲】
【請求項１】
同じ方向の中空孔が隣接して形成された複数枚のプラスチックダンボール材を、中空孔の方向が交差する向きにて貼り合わせたことを特徴とするボード。
【請求項２】
ボード表面を形成するプラスチックダンボール材は、鋲止め、針止めできる掲示面をなしている請求項１に記載のボード。
【請求項３】
掲示面をなすプラスチックダンボール材は、基材とするプラスチックダンボール材の片面又は両面に貼り合わせてある請求項２に記載のボード。
【請求項４】
掲示面をなすプラスチックダンボール材の厚みは、二重画鋲の針の長さよりも小である請求項２又は３に記載のボード。
【請求項５】
掲示面をなすプラスチックダンボール材と基材をなすプラスチックダンボール材とを合わせた厚みは、プラスチック製画鋲の針の長さよりも大である請求項２〜４の何れかに記載のボード。
【請求項６】
掲示面をなすプラスチックダンボール材の表裏シートの厚みは、基材をなすプラスチックダンボール材の表裏シートの厚みよりも小である請求項２〜５の何れかに記載のボード。
【請求項７】
掲示面をなすプラスチックダンボール材よりも、基材とするプラスチックダンボール材の方が厚みが大である請求項２〜６の何れかに記載のボード。
【請求項８】
掲示面には織生地、編み生地、不織布、電気植毛の１つによる柔軟繊維層が設けられている請求項１〜７の何れかに記載のボード。
【考案の詳細な説明】
【技術分野】
【０００１】
本考案はプラスチックダンボール材を利用したボードに関するものである。
【背景技術】
【０００２】
プラスチックダンボール材は、紙製ダンボール材と同様に梱包用のダンボール箱などの梱包材料に用いられて単層にて必要な面剛性を発揮できるようにしている外、表裏に貫通する貫通孔を設けたプラスチックダンボールの一面に透湿孔を設けた透湿防風シートを貼着して、建築物の外壁に取り付ける面剛性が不要な用途の通気層パネルが知られている（例えば、特許文献１参照）。またポリカーボネート樹脂等の耐熱性のあるプラスチックダンボール材のパネル面にシート材を接着により貼り合わせた断熱効果に優れた機能性パネルや、耐水性と防水性に優れた機能性シートとして建物の屋根瓦の下、壁の内側、床暖の下や寒冷地における結露防止、凍結防止などに用いるようにした面剛性の不要な用途のものが知られている（例えば、特許文献２参照）。
【０００３】
別に、襖に使用されるダンボールをパネルに使用し、縦枠や鴨居、敷居などによる支持により、光漏れ防止及び剛性を保持させた軽量間仕切り構造が知られている（例えば、特許文献３参照）。更にダンボールを中空孔が同じ向きとなるように積層してブロック化し、中空孔の端部開口が並ぶ面に被包装物を保持する凹部を形成して発泡シート材を貼り合わせ、被包装物に対する座屈強度の高い保護機能や断熱性に優れ、成形が容易で使用後のリサイクル性が良好な緩衝材も知られている（例えば、特許文献４参照。）。
【特許文献１】特開平８−１２０７９９号公報
【特許文献２】特開２００４−２５７９１号公報
【特許文献３】特開２００１−２６２７４５号公報
【特許文献４】特開２００１−４８２４１号公報
【考案の開示】
【考案が解決しようとする課題】
【０００４】
しかしプラスチックダンボール材は、軽量で取扱いやすく紙製のダンボール材に比して耐久性のよいシート材でありながら、紙製のダンボールの場合と同様に中空孔が並ぶ方向の面剛性が低いという方向性があることにより、枠や壁への取り付けといった他との協働なしにはボード材として機能できず、ボード材としての使用形態に制限を受けたままであった。特許文献４に記載の技術はダンボール材を積層しているが、座屈強度のある面域を拡張するブロック化を図ったもので、前記のような面剛性の方向性の問題を解消するものではない。
【０００５】
本考案は上記のような問題に鑑み、プラスチックダンボール材を用いながら面剛性に方向的な弱点がなく、使用の自由度の高いボードの提供を課題とする。
【課題を解決するための手段】
【０００６】
本考案のボードは、同じ方向の中空孔が隣接して形成された複数枚のプラスチックダンボール材を、中空孔の方向が交差する向きにて貼り合わせたことを第１の特徴としている。
このような第１の特徴によれば、プラスチックダンボール材同士が貼り合わせによって互いの中空孔が交差する向きで一体化され、各プラスチックダンボール材の中空孔が並ぶ方向に弱い面剛性を各プラスチックダンボール材の中空孔の長さ方向に強い面剛性によって互いに支持し合うので、どの方向にも面剛性の高いボードが実現する。
【０００７】
また本考案のボードは、上記第１の特徴に加えて、ボード表面を形成するプラスチックダンボール材は、鋲止め、針止めできる掲示面をなしていることを第２の特徴としている。
この第２の特徴によれば、プラスチックダンボール材は中空孔が並ぶホロー構造をなしており、画鋲類の針を刺し通せるのを利用して、ボードの表面を形成するプラスチックダンボール材の表面が掲示面となる掲示ボードを提供することができる。
【０００８】
また本考案のボードは、上記第２の特徴に加えて、掲示面をなすプラスチックダンボール材は、基材とするプラスチックダンボール材の片面又は両面に貼り合わせてあることを第３の特徴としている。
この第３の特徴によれば、掲示面をなすプラスチックダンボール材の材質、厚み、表裏シートの厚みなどを画鋲類の針の刺し通し加減などに適当な特定の仕様とし、基材とするプラスチックダンボール材はボード全体の厚みや面剛性を確保する特定の仕様とする役割分担を図りながら、ボードの掲示面を片面だけにするか、両面とするかを選択することができる。
【０００９】
また本考案のボードは、上記第２又は第３の特徴に加え、掲示面をなすプラスチックダンボール材の厚みは、二重画鋲の針の長さよりも小であることを第４の特徴としている。
この第４の特徴によれば、掲示面をなすプラスチックダンボール材は二重画鋲の針の長さよりも厚みが小さいので、針の長いプラスチック製画鋲はもとより、針の短い二重画鋲でも、表裏シートの双方を２段階で刺し通しやすく貫通でき、しかも２箇所の貫通部で安定に保持される。
【００１０】
また本考案のボードは、上記第２〜第４の何れかの特徴に加え、掲示面をなすプラスチックダンボール材と基材をなすプラスチックダンボール材とを合わせた厚みは、プラスチック製画鋲の針の長さよりも大であることを第５の特徴としている。
この第５の特徴によれば、針の長いプラスチック製画鋲が、基材のプラスチックダンボール材の表裏シート双方まで貫通しないように規制することができる。
【００１１】
また本考案のボードは、上記第２〜第５の何れかの特徴に加え、掲示面をなすプラスチックダンボール材の表裏シートの厚みは、基材をなすプラスチックダンボール材の表裏シートの厚みよりも小であることを第６の特徴としている。
この第６の特徴によれば、基材のプラスチックダンボール材との役割分担上、表裏シートの厚みを小さくして画鋲類の針の２段階での刺し通しを容易にすることができる。
【００１２】
また本考案のボードは、上記第２〜第６の何れかの特徴に加え、掲示面をなすプラスチックダンボール材よりも、基材とするプラスチックダンボール材の方が厚みが大であることを第７の特徴としている。
この第７の特徴によれば、掲示面をなすプラスチックダンボール材との役割分担上、自身の厚みの大きさによってボード全体の厚みや面剛性を確保することができるし、少なくとも裏面シートにプラスチック製画鋲の長い針が到達しないようにすることができる。
【００１３】
また本考案のボードは、上記第１〜第７の何れかの特徴に加え、掲示面には織生地、編み生地、不織布、電気植毛の１つによる柔軟繊維層が設けられていることを第８の特徴としている。
この第８の特徴によれば、柔軟繊維層によってプラスチックダンボール材がなす表面を手触りのよいソフトな繊維面に表装することができ、画鋲類の針の刺し跡を残さないようにすることができる。
【考案の効果】
【００１４】
本考案のボードによれば、複数枚のプラスチックダンボール材同士を特定の向きで貼り合わせるだけでどの方向にも十分な面剛性が得られ、単独使用の自由度を持って壁材や仕切り材、表示材などとして広く使用でき、本来の軽量性、断熱性、色調性、低価額性などを活かすことができる。
ホロー構造への画鋲類の針の刺し通しによる掲示物の掲示に供して、軽量性による設置のしやすさ、落下、転倒に対する安全性が得られ、壁掛け掲示ボードを始め、掲示機能を有した仕切り、机上パーテーションをなどに好適である。
貼り合わせるプラスチックダンボール材を掲示仕様とボード全体の厚みや面剛性を確保する基材仕様とに役割分担して、掲示面を基材の片面にするか、両面にするか選択することができる。
二重画鋲の針の長さより厚みが小さい掲示側仕様にて、プラスチック製画鋲は勿論、二重画鋲でも表裏シート双方を貫通する鋲止めにより安定した掲示ができる。
基材側仕様にてプラスチック製画鋲の針が表裏シート双方まで貫通させない規制に利用することができる。
表裏シートの厚みが小さい掲示側仕様にて画鋲類の針の２段階の刺し通しを容易にすることができる。
基材側仕様での厚みの大きさにてボード全体の厚みや面剛性を確保しながら、少なくとも裏面シートにプラスチック製画鋲の針を到達させない規制をすることができる。
掲示面を柔軟繊維層によって手触りのよいソフトな繊維面に表装して装飾し、また画鋲類の針の刺し跡を残さないようにすることができる。
【考案を実施するための最良の形態】
【００１５】
以下の図面を参照して、本考案の実施の形態に係るボードについて説明し、本考案の理解に供する。しかし、以下の説明は本考案の具体例であって、実用新案登録請求の範囲の記載の内容を限定するものではない。
【００１６】
図１に示すように、本考案のボードＢＯは同じ方向の中空孔１が隣接して形成された複数枚のプラスチックダンボール材２、２、３を、中空孔１の方向が交差する向きにて貼り合わせている。この貼り合わせは接着剤、超音波接着などで行え、全面接着し合っているのが結合強度上、有利である。
【００１７】
プラスチックダンボール材２、２、３の個々は、図１に示すように横断面はしご形をしたホロー構造をなし、中空孔１の長さ方向には高い面剛性を示すが、中空孔１が並ぶ方向の面剛性は低い。しかしプラスチックダンボール材２、２、３同士が上記のような貼り合わせによって互いの中空孔１が交差する向きで一体化されていると、各プラスチックダンボール材２、２、３の中空孔１が並ぶ方向に弱い面剛性を各プラスチックダンボール材２、２、３の中空孔１の長さ方向に強い面剛性によって互いに支持し合うので、どの方向にも面剛性の高いボードＢＯが実現することができる。それには中空孔１の交差が直交であるのが好適である。この結果、複数枚のプラスチックダンボール材２、２、３同士を貼り合わせるだけで、それが例え２枚の貼り合わせであっても、どの方向にも十分な面剛性が得られる。従って枠材や壁による支持といった他との協働を図ることなく単独で使用して、壁材や仕切り材、表示材などとして広く利用でき、本来の軽量性、断熱性、色調性、低価額性などを活かすことができる。
【００１８】
本実施形態では、ボードＢＯ表面を形成するプラスチックダンボール材２は、図２の（Ａ）に示すように、二重画鋲４やプラスチック製画鋲５、或いは図示しないユニバーサルデザインの画鋲、虫ピンといった画鋲類にて掲示物６を鋲止め、針止めできる掲示面７をなすようにしている。プラスチックダンボール材２、３は通常ポリプロピレン製であるが、場合によりポリエチレン製のものも提供されている。何れにしても、その材質による柔軟性に加え、上記ホロー構造をなしていることと、それらの表裏シート２ａや３ａの厚みの選択によって画鋲類の針を刺し通して保持されるようにすることができる。
本実施形態のボードＢＯによれば、プラスチックダンボール材２、３が画鋲類の針を刺し通せるのを利用して、ボードＢＯの表面を形成するプラスチックダンボール材２の表面が掲示面７となる掲示ボード、ピンナップボードとして提供することができる。具体的には、その軽量性による設置のしやすさ、落下、転倒に対する安全性が得られ、図２の（Ａ）、（Ｂ）に示すような壁掛け掲示ボードを始め、掲示機能を有した仕切り、図３の（Ａ）、（Ｂ）に示すような机上パーテーションなどに好適である。仕切り類でのボードＢＯは、その両側が居住スペース、ワークスペースとなるので、両面が掲示面７とされるのが好適である。
【００１９】
図２の（Ａ）、（Ｂ）に示す掲示ボードＢＯの例では、ボードＢＯの上縁に基材のプラスチックダンボール材３を短くして形成した溝１１を利用して木やプラスチック製の枠材１２を嵌め合わせて接着等で固定し、枠材１２にねじ合わせる等して取り付けた吊金具１３を利用して壁１４に設けたフック１５に掛けることで、ボードＢＯを掲示に供するようにしている。しかし、これに限られることはなく、金具類はどのようなものをどのように利用してもよいし、ボードＢＯに直接孔を形成して壁に掛けるなど、どのようにも使用できる。またこの場合、掲示面７は片面だけでもよいが、両面に掲示しておいて裏返しすることによって両面の掲示が見られるようにもできる。
【００２０】
図３の（Ａ）、（Ｂ）に示す掲示ボードＢＯの例では、ボードＢＯの下縁に基材のプラスチックダンボール材３を短くして形成した溝１１を利用して木やプラスチック製の脚材１６を嵌め合わせて接着等で固定し、ボードＢＯを床面や机上に設置できるようにしている。しかし、これに限られることはなく種々な設置構造を採用することができる。
ボードＢＯは掲示面７をなすプラスチックダンボール材２と基材とするプラスチックダンボール材３との貼り合わせによるので、掲示面７をなすプラスチックダンボール材２の材質、厚み、表裏シート２ａ、２ａの厚みなどを画鋲類の針の刺し通し加減などに適当な特定の仕様とし、基材とするプラスチックダンボール材３はボードＢＯ全体の厚みや面剛性を確保できる特定の仕様とするような役割分担を図るのに好適である。併せてボードＢＯの掲示面７を片面だけにするか両面とするかを、プラスチックダンボール材２の貼り合わせを片面にするか両面にするかで選択することができる。
【００２１】
このような役割分担においてボードＢＯは、図２の（Ａ）に示すように、掲示面７をなすプラスチックダンボール材２は二重画鋲４の針の長さよりも厚みが小さいので、針の長いプラスチック製画鋲５はもとより針の短い二重画鋲４でも、表裏シート２ａ、２ａの双方を２段階に刺し通しやすく貫通させることができる。しかも画鋲４、５は２箇所の貫通部で安定に保持されるので、掲示物６を安定に止めることができる。これによってプラスチック製画鋲５は勿論、二重画鋲４でも、表裏シート２ａ、２ａの双方を貫通する鋲止めにより安定した掲示ができる。
【００２２】
また掲示面７をなすプラスチックダンボール材２と基材をなすプラスチックダンボール材３とを合わせた厚みは、図２の（Ａ）に示すように、プラスチック製画鋲５の針の長さよりも大であるので、針の長いプラスチック製画鋲５の針が、基材のプラスチックダンボール材３の表裏シート３ａ、３ａ双方まで貫通してしまうのを規制し、そのような貫通のために鋲止めの抵抗が徒に大きくなったり、掲示面７が片面で基材のプラスチックダンボール材３の裏面に針が突出してしまうような危険を防止することができる。
【００２３】
またボードＢＯにおいて、掲示面７をなすプラスチックダンボール材２の表裏シート２ａ、２ａの厚みは、図１に示すように、基材をなすプラスチックダンボール材３の表裏シート３ａ、３ａの厚みよりも小であるので、基材のプラスチックダンボール材３との役割分担上、表裏シート２ａ、２ａの厚みを小さくして画鋲類の針の上記２段階の刺し通しを容易にすることができる。
【００２４】
上記掲示面７には、図１に示すように、織生地、編み生地、不織布、電気植毛の１つによる柔軟繊維層２１が設けているので、柔軟繊維層２１によってプラスチックダンボール材２がなす表面、即ち掲示面７を手触りのよいソフトな繊維面に表装することができ、画鋲類の針の刺し跡を残さないようにすることができる。
ここで１つの実施例を示せば、掲示面７をなすプラスチックダンボール材２の厚みは約４ｍｍ、表裏シート２ａ、２ａの厚みは約０．５ｍｍ、基材のプラスチックダンボール材３の厚みは約９ｍｍ、表裏シート３ａ、３ａの厚みは約１ｍｍ、プラスチックダンボール材２の表面にスタンホスパンボンドやＰＰにて０．２ｍｍ程度の下地処理をした上に織生地である柔軟繊維層２１を貼り合わせた。
【産業上の利用可能性】
【００２５】
本考案はプラスチックダンボール材を掲示ボードや仕切りボードとして単独で使用でき、ボード表面に画鋲類による掲示物の掲示機能を付与することができる。
【図面の簡単な説明】
【００２６】
【図１】本考案の実施形態に係るボードを示す斜視図である。
【図２】本考案の実施形態に係るボードの掲示機能を持った壁掛けボードとした例を示し、（Ａ）は側面図、（Ｂ）は正面図である。
【図３】本考案の実施形態に係るボードの掲示機能を持った机上パーテーションとした例を示し、（Ａ）は側面図、（Ｂ）は正面図である。
【符号の説明】
【００２７】
１          中空孔
２          プラスチックダンボール材
２ａ、２ａ  表裏シート
３          プラスチックダンボール材
３ａ、３ａ  表裏シート
４          二重画鋲
５          プラスチック製が鋲
６          掲示物
７          掲示面
２１        柔軟繊維層
【図１】
0003119735.tif 000003
【図２】
0003119735.tif 000004
【図３】
0003119735.tif 000005